(57)【要約】【課題】            消臭・調湿材料を収納する厚さ調整可能型紙製容器を用いることで、この厚さ調整型の紙製箱体を収納する格子組みの下地材の組付け作業と通気用の不織布貼着作業の容易化および効率化を図る。【解決手段】        袋詰め多孔性物質体が、底板に開口または複数の通気孔を有する箱本体と天板に開口または複数の通気孔を有する蓋体とで形成する箱体内に、通気性のシート材（例えば、不織布）を介して収容されたブロックとなっている。【選択図】          図３
2016138411.tif 000002
【特許請求の範囲】
【請求項１】
開口または複数の通気孔を有する底板の外周端に側板が立設する箱本体と、天板に開口または複数の通気孔を有し、前記箱本体に被せるように装着される蓋体とで形成する箱体と、これらの箱本体の底板および蓋体の天板のそれぞれの内側に、それぞれの開口または複数の通気孔を塞ぐように装着される通気性のシート材と、これらの箱本体と蓋体とで形成する箱体内に前記通気性のシート材を介して収容される袋詰め多孔性物質体と、からなることを特徴とする建具材ブロック。
【請求項２】
前記箱本体の一部または全部の側板上部が、この側板高さを調整可能とするように内側に折り曲げ可能であることを特徴とする請求項１記載の建具材ブロック。
【請求項３】
開口または複数の通気孔を有する底板の外周端に側板が立設する箱本体と、天板に開口または複数の通気孔を有し、前記箱本体に被せるように装着される蓋体とで形成する箱体と、これらの箱本体の底板および蓋体の天板のそれぞれの内側に、それぞれの開口または複数の通気孔を塞ぐように装着される通気性のシート材と、前記箱本体と蓋体とで形成する箱体内に前記通気性シート材を介して収容される袋詰め多孔性物質体と、を備えた建具材ブロックが、正方形状または矩形状の枠体内に隙間調整型の隙間調整部材を介して一つの平面内に並列状態にて収容され、前記建具材ブロックおよび隙間調整部材を覆うように前記枠体の上下面に複数の通気孔を有する表面板および裏面板が固着されてなることを特徴とする建具材パネル。
【請求項４】
前記箱本体の一部または全部の側板上部が、この側板高さを調整可能とするように内側に折り曲げ可能であることを特徴とする請求項３記載の建具材パネル。
【請求項５】
前記隙間調整部材が、ハニカムコアであることを特徴とする請求項３記載の建具材パネル。
【請求項６】
前記ハニカムコアが紙素材からなることを特徴とする請求項３記載の建具材パネル。
【請求項７】
前記枠体が紙素材からなることを特徴とする請求項３記載の建具材パネル。
【発明の詳細な説明】
【技術分野】
【０００１】
本発明は、建物の壁材、床材、天井材、室内ドアー、及び屋内に使用する押入れやタンスの扉、などに用いられ、特に断熱機能、脱臭機能および吸放湿機能を有する建具材ブロックおよびこの建具材ブロックで構成する建具材パネルに関するものである。
【背景技術】
【０００２】
従来から、建物の仕切り板や壁材、床材、天井材または室内ドアーなどの建具材などに断熱機能、脱臭機能および吸放湿機能を備える建具材パネルが広く用いられている（例えば、特許文献１参照）。かかる建具材パネルは、必要とする厚みの棒状の木材により、矩形の枠体を形成し、さらに、この枠体に中骨を格子状に組み込んで格子状の下地材を有している。また、この下地材の片面側に防塵用不織布が接着剤を用いて貼着され、さらに接着剤を塗布した有孔裏面板がその防塵用不織布に一昼夜プレス圧着されている。また、その下地材のもう一方の片面側に防塵用不織布が接着剤を用いて貼着され、さらに接着剤を塗布した有孔表面板がその防塵用不織布に一昼夜プレス圧着されており、これらのプレス圧着後に正寸カットされて建具材パネルが構成されている。
【先行技術文献】
【特許文献】
【０００３】
【特許文献１】実用新案登録第３１０５０３６号公報
【発明の概要】
【発明が解決しようとする課題】
【０００４】
しかしながら、かかる従来の建具材パネルは、枠材に対し棒状の中骨を枠材とともにフラットになるように組み込んで格子状の下地材とする際に、枠材や中骨の厚さ削り加工と格子組作業に相当程度の精度が要求されるところから、建具材パネルの組み付け時間が長くなってしまう。また、前述のように、有孔裏面板を防塵用不織布に一昼夜プレス圧着する作業、有孔表面板を防塵用不織布に一昼夜プレス圧着する作業、正寸カットする作業がそれぞれ必要であり、建具材パネルの組付けの作業効率が極めて悪いという不都合があった。
【０００５】
また、前記下地材として、地場木材の使用条件、ＪＡＳ認定工場での製作条件など顧客要求や各種基準を満たす必要から、下地材の材料費および運搬費が建具材パネルのコストの４０％をも占めてしまうという不都合があった。特に、安価な無垢木材は特有のそり（反り）やひねり（捻り）、あるいは節などの材質上の欠陥を有し、このため反り、捻り、節などの欠陥がない高価な集成材を下地材として用いる要求度が高い。このため、下地材の材料コストおよび製造コストが高くなる。
【０００６】
さらに、前記有孔表面板および有孔裏面板と枠材および中骨を含む下地材との間に不織布を挟み込んで接着剤でプレス圧着するため、滑らかな平面どうしの圧着とは異なり、圧着強度に不安がある。また、建具材パネルは、加工図作成、材料手配、部材加工、組み付け、養生・梱包の工程を経て製作され、下地材の組み付けには、木材の樹種確定・加工工場選定、許認可証書提出、加工図作成・材料手配受入・棒状加工・格子組作業と多種に亘り品質管理・点検多項目・工程調整を含み、結果として建具材パネルの製作期間が長くなる。また、トイレブースパネルなどの厚手のフラッシュパネルにあっては下地材の厚みが大きくなり、工場や組立現場での取り扱いや運搬に労力と時間が掛かり、軽量化が望まれている。
【０００７】
このように、棒状の木材からなる枠材および中骨を持つ格子状構造物の下地材は、顧客先から要求されるパネル厚さに対応しなければならず、このため、反りや捻りなど材質上の欠陥や変形が長期に亘って発生せず、製造の品質にバラツキがない高価な集成材を下地材として用いる要求度が高くなる。
【０００８】
本発明は前述のような従来の課題を解消するものであり、その目的とするところは、顧客先から要求されるパネル厚さに対応することによる建具材パネルの製作コストの不採算性に着目して、消臭・調湿材料を収納する厚さ調整可能型紙製容器を用いることで、この厚さ調整可能型の紙製箱体を収納する格子組みの下地材の組付け作業と通気用の不織布貼り作業の容易化および効率化を図りながら、軽量かつ安価に得られるフラットな形態の建具材パネルを市場に提供することにある。
【課題を解決するための手段】
【０００９】
前記目的達成のために、本発明にかかる建具材ブロックは、開口または複数の通気孔を有する底板の外周端に側板が立設する箱本体と、天板に開口または複数の通気孔を有し、前記箱本体に被せるように装着される蓋体とで形成する箱体と、これらの箱本体の底板および蓋体の天板のそれぞれの内側に、それぞれの開口または複数の通気孔を塞ぐように装着される通気性のシート材と、これらの箱本体と蓋体とで形成する箱体内に前記通気性のシート材を介して収容される袋詰め多孔性物質体と、からなることを特徴とする。
【００１０】
この構成により、袋詰め多孔性物質体は、底板に開口または複数の通気孔を有する箱本体と天板に開口または複数の通気孔を有する蓋体とで形成する箱体に、通気性のシート材（例えば、不織布）を介して収容されたブロックとなっているので、これを並列してパネルを形成したり、仕切り板や壁材、床材、天井材または室内ドアーなどに使用するのに容易となる。また、例えば、建具材ブロックを、トイレ、教室、衣服ロッカー，冷蔵庫の扉などに収納することで、そのトイレ、教室、衣服ロッカー，冷蔵庫などの室内気の消臭並びに調湿を実現することができる。
これらの場合において、袋詰め多孔性物質体は、箱本体の底板の開口または複数の通気孔および蓋体の天板の開口または複数の通気孔と各位置の通気性のシート材（例えば、不織布）を介して箱体の内外に晒されることになり、消臭機能、調湿機能および断熱機能を果たす。
多孔性物質体としては、炭素系物質である複合炭素材、木炭、活性炭、などを例示でき、これらは湿度が高い時は、吸湿機能を果たし、湿度が低い時には放湿機能を果たす。また、この吸放湿機能に加えて、室内に漂うホルムアルデヒトやアンモニアガス等の有害ガスを吸収して室内気を浄化し、脱臭する機能を果たし、さらに断熱効果をも発揮する。
また、多孔性物質体を収納する袋は、通気性ある袋であり、例えば不織布の袋を例示できる。
【００１１】
本発明の請求項２に係る建具材ブロックは、前記箱本体の一部または全部の側板上部が、この側板高さを調整可能とするように内側に折り曲げ可能であることを特徴とする。
【００１２】
この構成により、箱体は、収納される袋詰め多孔質物質体の厚みに応じて嵌合深さが調節できるため、建具材ブロックが収納される枠体および隙間調整部材（例えば、ハニカムコア）の厚みに合わせ易く、従って、従来におけるような高価な集成材の使用による建具材パネルのコストアップを回避することができる。また、箱本体の側板上端部を所定位置で内側へ折り曲げることにより、この箱本体に対する蓋体の装着（嵌合）深さ、つまり箱体全体の厚みを前記枠体の厚みに等しくなるように簡単に調整することができる。さらに、前記枠体が紙素材で構成することで、枠体の更なる軽量化を実現できる。
【００１３】
また、本発明の請求項３に係る建具材パネルは、開口または複数の通気孔を有する底板の外周端に側板が立設する箱本体と、天板に開口または複数の通気孔を有し、前記箱本体に被せるように装着される蓋体とで形成する箱体と、これらの箱本体の底板および蓋体の天板のそれぞれの内側に、それぞれの開口または複数の通気孔を塞ぐように装着される通気性のシート材と、前記箱本体と蓋体とで形成する箱体内に前記通気性シート材を介して収容される袋詰め多孔性物質体と、を備えた建具材ブロックが、正方形状または矩形状の枠体内に隙間調整型の隙間調整部材（例えば、ハニカムコア）を介して一つの平面内に並列状態にて収容され、前記建具材ブロックおよび隙間調整部材（例えば、ハニカムコア）を覆うように前記枠体の上下面に複数の通気孔を有する表面板および裏面板が固着されてなることを特徴とする。
【００１４】
この構成により、建具材パネルとして建物の壁材、床材、天井材、屋内の押入やタンスの扉、室内ドアーの他、室内家具、キッチンシステムや洗面化粧台の扉、等に容易に装着できる。そして、袋詰め多孔性物質体は、箱本体の底板の開口または複数の通気孔、蓋体の天板の開口または複数の通気孔、通気性シート、表面板および裏面板の通気孔を介して外部に通じているので、断熱機能、脱臭機能および吸放湿機能（調湿機能）を発揮させることができる。即ち、この建具材パネルを使用した構造体付近の湿度が高い時には、装着された袋詰め多孔性物質体が吸湿機能を果たし、一方、湿度が低い時には放湿機能を果たす。また、前記多孔性物質体は、前記のような吸放湿機能（調湿機能）に加えて、室内に漂うホルムアルデヒトやアンモニアガス等の有害ガスを吸収して室内気を浄化し、脱臭する機能を果たし、更に断熱機能をも発揮する。
また、袋詰めされた多孔性物質体は、厚さ（高さ）が調整可能な箱体内に収納され、枠体の厚みに応じて合わせることができ、建具材パネル全体を所定厚みのフラットパネルとすることができる。しかも、枠体内には、建具材ブロックを並列し、それらの間の隙間には隙間調整部材を介装するだけなので、従来のように中骨を格子状に組み込んで下地材を構成するよう手数が省け、容易に安価に製造できる。
【００１５】
また、本発明の請求項４にかかる建具材パネルは、前記箱本体の一部または全部の側板上部が、この側板高さを調整可能とするように内側に折り曲げ可能であることを特徴とする。
この構成により、袋詰め多孔性物質体を収納した箱体の厚さ（高さ）を調整できるし、箱体内に収納した袋詰め多孔性物質体を、箱体内で移動しないように固定できる。また、袋詰め多孔性物質体を収納した箱体の厚さ（高さ）を調整できるため、枠体の厚みと合わせてフラットなパネルに容易に形成できる。
【００１６】
また、本発明の請求項５に係る建具材パネルは、前記隙間調整部材が、ハニカムコアであることを特徴とする。
また、本発明の請求項６に係る建具材パネルは、前記ハニカムコアが紙素材からなることを特徴とする。
この構成により、ハニカムコアは、ある程度の伸縮性（弾力性）を有するので、枠体内に並列された袋詰め多孔性物質体を収納した箱体（建具材ブロック）間に介装され、隙間を埋めるように機能し、複数の袋詰め多孔性物質体を収納した箱体（建具材ブロック）を、ガタツキが生じることなく枠体内に収納できる。また、ハニカムコアを紙製とすることで、箱本体および蓋体で形成する箱体を紙製とすることと相俟って軽量化でき、かつ安価に提供できる。
また、ハニカムコアは、所定の強度を持ち、紙製でも所定の圧縮強度を持つことから、枠体内において中骨としても機能する。
【００１７】
さらに、本発明の請求項７にかかる建具材パネルは、前記枠体が紙素材からなることを特徴とする。
この構成により、従来の木材による枠材や中骨のように厚さ削り加工や格子組作業が不要となるし、均一な材料の調達が容易となるので、建具材パネルの製造が容易となる。しかも枠体を紙素材で形成することで、木材からなる枠体に比べて、５０％を超える軽量化が可能となる。
特に、箱体、ハニカムコアおよび枠体を紙製とすることで、従来のような高価な集成材の使用による建具材パネルのコストアップを回避することができるし、建具材パネル全体の軽量化が可能となる。
【発明の効果】
【００１８】
本発明の建具材ブロックおよび建具材パネルによれば、次のような効果を奏する。
（１）袋詰め多孔性物質体は、底板に開口または複数の通気孔を有する箱本体と天板に開口または複数の通気孔を有する蓋体とで形成する箱体内に通気性シート材（例えば、不織布）を介して収納されたブロックとなっているので、これを並列してパネルに形成したり、仕切り板や壁材、床材、天井材または室内ドアーなどに使用するのに容易となる。
（２）袋詰め多孔性物質体を収納する箱体は、厚み（高さ）が調整可能なので、枠体の厚みに応じて合わせることができ、建具材パネル全体を所定厚みのフラットパネルとすることが容易にできる。
（３）枠体内には、建具材ブロックを縦横に並列し、それらの間の隙間に隙間調整部材（例えば、ハニカムコア）を介装するだけなので、従来のように枠体内に中骨を格子状に組み込んで下地材を構成するような手数が省け、建具材パネルが容易に安価に製造できる。
（４）箱体、隙間調整部材としてのハニカムコア及び枠体、等を紙製とすることで、従来のような高価な集成材の使用による建具材パネルのコストアップを回避することができるし、建具材パネル全体の軽量化が可能となる。
（５）建具材パネルは、建物の壁材、間仕切り、床材、天井材、屋内の押入やタンスの扉、室内ドアーや各種扉、等に使用して、断熱機能、脱臭機能および吸放湿機能（調湿機能）を発揮させることができる。
（６）表面板および裏面板と下地材との間に不織布を介在させて直接貼着することによる従来のような貼着強度不足や貼着強度の劣化を回避できる。
【００１９】
以上、本発明について簡潔に説明した。さらに、以下に本発明を実施するための最良の形態を添付の図面を参照して、詳細に説明する。
【図面の簡単な説明】
【００２０】
【図１】本発明の実施の形態にかかる建具材パネル全体を概念的に示す斜視図である。
【図２】本発明の実施の形態にかかる建具材パネルの詳細を示す断面図である。
【図３】本発明の実施の形態にかかる建具材パネルの分解斜視図である。
【図４】本発明の実施の形態にかかる建具材ブロックの一部破断して示す拡大斜視図である。
【図５】本発明の実施の形態にかかる建具材ブロックの分解斜視図である。
【図６】箱体の他の実施の形態を示す斜視図である。
【発明を実施するための形態】
【００２１】
以下、本発明にかかる建具材ブロックおよび建具材パネルの実施形態を、図面を参照して説明する。
図１は本実施の形態にかかる建具材パネルの全体を概念的に示し、図２はその詳細を切断して示し、図３はその分解斜視図を示す。また、図４は本実施の形態にかかる建具材ブロックを一部破断して示す斜視図、図５はその分解斜視図を示し、更に、図６は、箱体の他の実施の形態の斜視図である。建具材パネルＡは、例えば建物の屋内に使用する押入れやタンスの扉、壁材、床材、天井材または室内ドアーのほか、室内引き戸、ウォークインクロゼットの折畳み戸等の室内建具、壁やこの壁の内張り用家具材、キッチンシステム、洗面化粧台の扉、壁又はこれらの内張り用等の建築設備材等として使用されるものである。
【００２２】
建具材パネルＡは、図２および図３に示すように、枠体１１と、箱体１２と、通気性シート材としての不織布１３と、袋詰め多孔性物質体１４と、隙間調整部材としてのハニカムコア１５と、表面板１７と、裏面板１８と、化粧フィルム１９と、を備えて構成される。これらのうち、箱体１２と、不織布１３と、袋詰め多孔性物質体１４とで建具材ブロックＢを構成する。この建具材ブロックＢの詳細は後述する。
【００２３】
前記枠体１１は矩形断面の棒状の木材を一つの平面内に正方形や長方形に組み付け、これらの内側に空間部を形成している。この空間部には、建具材ブロックＢが複数縦横に並列して設けられ、この並列した建具材ブロックＢの間には、隙間調整のため隙間調整部材としてハニカムコア１５が介装され、枠体１１内での建具材ブロックＢの移動が規制されている。このハニカムコア１５は枠体１１とともに格子型の下地材を構成する格好となる。隙間調整部材は、主に並列配置した建具材ブロックＢ間に介装して建具材ブロックＢの動きを規制する部材であるが、枠材１１補強にも寄与する。従って、隙間調整部材としてのハニカムコア１５も枠材１１を補強している。
枠体１１は例えば間伐材を素材としてこれを所定サイズに切り出したものなどが用いられるが、枠体１１の軽量化および安価化のために紙を素材とするものを用いることができる。例えば、所定サイズの強靭なハニカム状の紙素材を、所定の厚みに積層して棒状にしたものとすることができる。これにより木材と同等の強度を持ながら、枠体１１を５０％を超えるレベルに軽量化することができる。
【００２４】
箱体１２は周知の紙製菓子箱のような箱本体１２ａと蓋体１２ｂとからなり、蓋体１２ｂは箱本体１２ａの開口部に装着（嵌合）されている。この装着状態においては、図４および図５に示すように、箱本体１２ａ四周の側板Ｐ、Ｑのうちの側板Ｐの外側面に、断面コ字状の蓋体１２ｂの一対の側板Ｒの内側面がそれぞれ摺接可能に嵌合している。なお、蓋体１２ｂは、四周に側板Ｒを持つものとしてもよい。また、箱本体１２ａの対向する一対の側板Ｐの高さは他の側板Ｑより高く、その上端部付近が箱本体１２ａ内に向う方向に湾曲する湾曲部Ｐａとされている。箱本体１２ａは蓋体１２ｂとともに紙製であるから、その箱本体１２ａの側板Ｐの上端部を、所定長さ分指で摘んでまたは機械的に内側に湾曲させることで、その側板Ｐの高さ、つまり箱本体１２ａ全体の高さを低くする方向に調整することができる。また、図面では箱本体１２ａ四周の側板Ｐ，Ｑは互いに隣り合うものどうしが角部において切断（分離）されている場合を示しているが、これは接続されていてもよい。
【００２５】
かかる箱本体１２ａの高さ調整によって、蓋体１２ｂの箱本体１２ａに対する嵌合深さ、つまり箱体１２全体の厚み調整を、この箱体１２を収納する枠体１１の高さに合致するように、任意かつ容易に行うことができる。また、これらの箱本体１２ａの底面には通気用下部開口２０が設けられ、蓋体１２ｂの天板には通気用上部開口２１が設けられている。これらの通気用下部開口２０および通気用上部開口２１は箱体１２の内外への通気を可能にしている。
【００２６】
なお、箱体１２を形成する箱本体１２ａの底板の開口２０および蓋体１２ｂの天板の開口２１は、図６に示すような複数の通気孔２０ａ、２１ａであってもよい。この通気孔２０ａ、２１ａの形状は、特に制限はなく、円形、楕円形、正方形、長方形、多角形、等を例示できる。
また、箱本体１２ａの側板は、一方の対向する側板Ｑは、なくてもよい。
【００２７】
前記通気性シート材としての不織布１３は、繊維を機械的に絡ませたり、化学的に融着、接着させたりすることによって繊維どうしを結合したシート材であり、多数の空隙を持ち、通気性に優れる。この不織布１３は、箱本体１２ａの底板内側に通気用下部開口２０または通気孔２０ａを塞ぐように、また、蓋体１２ｂの天板内側に通気用上部開口２１または通気孔２１ａを塞ぐように、それぞれ緊張状態にて装着（例えば、貼着）されている。従って、前記通気用下部開口２０または通気孔２０ａおよび通気用上部開口２１または通気孔２１ａはその不織布１３を介して箱体１２の内外への通気を可能にしている。このように、不織布１３の箱本体１２ａおよび蓋体１２ｂの内側への貼着によって、その貼着状態が安定化する。従って、箱本体１２ａの底面および蓋体１２ｂの天板の内面に、不織布１３を重なるように設けることによって、不織布１３が枠体１１の上下面と後述の表面板１７および裏面板１８との圧着強度を阻害するという従来技術の不都合を回避できる。
【００２８】
前記袋詰め多孔性物質体１４は炭素系物質である複合炭素材、木炭、活性炭、などを通気性の不織布１３の袋内に収納したものからなる。なお、前記活性炭としては木材、竹、果実殻、褐炭、無煙炭、ピッチ、セルロース、コークス等による粒状、塊状、粉状等適宜形状、大きさのものが使用可能である。これらのうち天然植物の木材、竹、果実殻等によるものは、空気中の浮遊残存成分や湿気の吸着除去性とともに殺菌性、防ダニ性、防蟻性、防虫性等の性状や、保温性による断熱性を呈する。
特に、竹の活性炭は吸着除去性、防虫性、断熱性等に特に優れ、各種の建具材パネルＡとして最適である。また、前記複合炭素材は物理的、化学的に安定した吸湿材料として有用である。
この多孔性物質体１４を収納する袋は、多孔性物質体が持つ断熱機能、消臭機能および吸放湿機能を発揮させるために、通気性のある素材、例えば、不織布で形成されている。
【００２９】
本実施形態による建具材ブロックＢは、図４乃至図６に示すように底板に通気用下部開口２０または通気孔２０ａを有する箱本体１２ａと、該箱本体１２ａに被せるように装着して、天板に通気用上部開口２１または通気孔２１ａを有する蓋体１２ｂと、これらの箱本体１２ａおよび蓋体１２ｂの内側に前記通気用下部開口２０または通気孔２０ａ、通気用上部開口２１または通気孔２１ａを塞ぐように貼着された不織布１３と、前記箱本体１２ａおよび蓋体１２ｂ間に不織布１３を介して収容した袋詰め多孔性物質体１４と、から構成される。
箱本体１２ａに袋詰め多孔性物質体１４を収納したら、側板Ｐの上方部を袋詰め多孔性物質体１４の厚さ（高さ）に合わせ密になるように折り曲げ、その状態で蓋体１２ｂを箱本体１２ａに被せ、図４に示すように蓋体１２ｂは箱本体１２ａに固定手段、例えば、ホチキス止め１６して固定し、箱体１２内で袋詰め多孔性物質体１４が動かないようにする。即ち、箱体１２内に不織布１３を介して袋詰め多孔性物質体１４を収納した後は、図４に示すように蓋体１２ｂは、箱本体１２ａに固定手段、例えば、ホチキス止め１６して固定し、蓋体１２ｂが箱本体１２ａから外れないようにすると共に、収納した袋詰め多孔性物質体１４が箱体１２内で動かないようにしっかり固定する。固定手段としては、従来公知の手段が採用可能である。例えば、前記ホチキス止めの他に、接着テープ、ひもおよび接着剤等を例示できる。
【００３０】
これにより、箱本体１２ａおよび蓋体１２ｂは、これらの間に収納される袋詰め多孔質物質体１４の厚みに応じて嵌合深さが適宜に調節されるため、建具材ブロックＢが収納される枠体１１の厚みに合わせ易く、従って、従来におけるような高価な集成材の使用による建具材パネルＡのコストアップを回避することができる。また、箱本体１２ａの側板Ｐ上端部を所定位置で内側へ折り曲げることにより、この箱本体１２ａに対する蓋体１２ｂの装着（嵌合）深さ、つまり箱体１２全体の厚みを枠体１１の厚みに等しく調整することができる。また、袋詰め多孔性物質体１４は箱本体１２ａの通気用下部開口２０または通気孔２０ａ、蓋体１２ｂの通気用上部開口２１または通気孔２１ａと不織布１３を介して箱本体１２ａおよび蓋体１２ｂの内外に晒されることになり、箱本体１２ａおよび蓋体１２ｂ付近の外気の消臭機能および調湿機能を十分に果たす。
【００３１】
本実施の形態の建具材パネルＡは、図１乃至図３に示すように枠体１１内に、建具材ブロックＢの複数が縦横に並列して設けられ、この並列した建具材ブロックＢの間に隙間調整部材としてのハニカムコア１５が介装され、この枠体１１、建具材ブロックＢおよびハニカムコア１５が装着された枠体１１の上下面に複数の通気孔２２を有する表面板１７および裏面板１８が装着されて構成されている。表面板１７および裏面板１８には化粧フィルム１９が貼着されている。この化粧フィルム１９は、必ずしも必要ではないが、設けると表面板１７および裏面板１８の表面が保護されるし、見栄えが良好となるので好ましい。
【００３２】
袋詰め多孔性物質体１４は前記箱本体１２ａおよび蓋体１２ｂ間に、つまり枠体１１およびハニカムコア１５によって仕切られた格子状空間に設置された箱体１２内に密に収容される。このため、多孔性物質体が箱体１２内や枠体１１の外へ漏れ出す惧れがない。
多孔性物質を収納した袋詰め多孔性物質体１４全体の厚みは、設計された所定の厚みを持ち、この袋詰め多孔性物質体１４を収容した箱体１２の厚みを所定値の厚みとすることができる。この結果、箱体１２の厚みを枠体１１の厚みに合わせることが容易になり、枠体１１として高価な集成材を使用する必要が必ずしもなくなる。つまり、枠体１１に加工コストの安い木材を用いることができる。さらに、袋詰め多孔性物質体１４は袋内に収納されて全体として所定の形状を保持し、崩壊や沈降は生じにくい。このため、袋内には空隙が生じることがなく、箱本体１２ａおよび蓋体１２ｂは所定の硬さおよび所定の厚みを維持する。
【００３３】
また、袋詰め多孔性物質体１４を収納した箱体１２は、枠体１１内にこれと同一水平面内に複数個が並設されている。そして、各箱体１２どうし間や、箱体１２と枠体１１との間に無駄な隙間が生じないように、前記ハニカムコア１５が枠体１１の内側に格子状に配置される。これらのハニカムコア１５は枠体１１の変形防止や強度の増大を図る中骨の役目をも持ち、これの上下方向に加えられる外力に対し十分に大きい強度と衝撃吸収力を有する。このハニカムコア１５は複数枚が上下に積層するようにして用いられ、このハニカムコア１５によって枠体１１の内側に区画された格子状の領域には、袋詰め多孔性物質体１４が密に収容される。また、各ハニカムコア１５自体の空隙に多孔性物質を収納することもでき、これにより建具材ブロックＢによる消臭効果および吸放湿効果をより高めることができる。
【００３４】
表面板１７および裏面板１８は木質系板材からなり、枠体１１の表裏面（上下面）に固定されている。なお、これらの表面板１７および裏面板１８として木質系板材に代えて、例えば珪酸カルシュウム板，織布等の通気性の良い硬質又は軟質の材料を用いた板材を用いることもできる。
【００３５】
これらの表面板１７および裏面板１８は、箱体１２、不織布１３、袋詰め多孔性物質体１４、ハニカムコア１５とともに、所定厚みおよび強度の１枚の建具材パネルＡを形成している。また、表面板１７および裏面板１８はこれらの内外面に向って貫通する複数の通気孔２２が設けられている。これらの通気孔２２は外気が内外に流通する通気用通路となっている。
【００３６】
また、化粧フィルム１９は表面板１７および裏面板１８の外面に貼着されており、建具材パネルＡ全体の見栄えを良好にしている。この化粧フィルム１９はメラミンなどの樹脂フィルム材からなり、任意の色彩、模様、厚みのものが用いられる。また、この化粧フィルム１９には、通気孔２２に対応する部位に通気孔２３が設けられている。枠体１１、表面板１７、裏面板１８の小口（側面）には小口テープ２４が貼着されて、その側面が保護されている。
【００３７】
かかる構成になる建具材パネルＡは、例えば次の様にして組み付けられる。先ず、作業台等の上に置かれた枠体１１の内側に、袋詰め多孔性物質体１４を収容した箱本体１２ａおよび蓋体１２ｂからなる箱体１２を、ハニカムコア１５とともに並列配置する。ハニカムコア１５は枠体１１内側の水平面内に格子状に組み付けられて、枠体１１内を複数の領域に区画している。そして、枠体１１内において互いに隣り合うこれらのハニカムコア１５間と、枠体１１およびこの枠体１１に隣り合うハニカムコア１５間に、箱体１２に収容した各一の袋詰め多孔性物質体１４（建具材ブロックＢ）を、図１に示すように収容する。
【００３８】
次に、これらの箱体１２および袋詰め多孔性物質体１４の上下面を覆うように、予め化粧フィルム１９が貼着された表面板１７および裏面板１８を固着する。加えて、枠体１１の露出面側に表面板１７および裏面板１８の各端面（小口）を覆うように、小口テープ２４を貼り付ける。これにより本実施形態の建具材パネルＡが形成される。
【００３９】
そして、かかる構成になる建具材パネルＡは、箱体１２を構成する箱本体１２ａおよび蓋体１２ｂの嵌合構造と、箱本体１２ａの側板上部の折り曲げ構造と、規制部材として機能するハニカムコア１５とを含む厚さ調整機構の採用によって、枠体１１と同等厚みのフラット型のパネルに構成される。そして、袋詰め多孔性物質体１４の箱体１２への収容や、箱体１２、ハニカムコア１５の枠体１１に対する組み付けは極めて簡単に、手作業で実施でき、しかも箱体１２やハニカムコア１５や枠体１１を紙を素材として構成することで、ドアや壁面など用途に合った強度および軽量の建具材パネルＡを簡単な工程で短時間で製作できる。
【００４０】
また、枠体１１およびハニカムコア１５を、紙を素材として構成することで、従来用いた高価な木材（集成材）やプラスチック材などに比べて材料コストおよび運搬コストを大幅に削減することができる。また、不織布１３は箱体製造工場（紙工場）にて箱本体１２ａおよび蓋体１２ｂの各内側に接着材を用いて貼りつけることで、箱体１２を構成する箱本体１２ａの下面および蓋体１２ｂの上面を枠体１１の上下面に対して均一面とすることができ、結果として、これらに圧着される表面板１７および裏面板を含む建具材パネルＡ全体を一定厚みに簡単にフラットパネル化することができる。また、トイレなどの木製扉への代替使用によっても、厚さ調整型の紙製の箱体１２を用いることで、紙製の下地材による肉薄化および軽量化が可能になる。この結果、従来におけるような厚くて重い下地材を用いることによる取扱い上、労力上の不都合を回避できる。
【００４１】
また、本実施形態による建具材パネルＡは、前記建具材ブロックＢが、矩形の枠体１１内側に隙間調整型のハニカムコア１５を介して一つの平面内に並列状態にて収容され、前記建具材ブロックＢおよびハニカムコア１５を覆うように前記枠体１１の上下面に、複数の通気孔２２、２３を有する表面板１７および裏面板１８が固着されてなる構成である。
【００４２】
これにより、全体として軽量で強度の高いフラット形態の建具材パネルＡを容易かつ安価に形成可能にするとともに、この建具材パネルＡをトイレ、教室、衣服ロッカー，冷蔵庫の扉などに用いることで、そのトイレ、教室、衣服ロッカー，冷蔵庫などの各室内気の消臭並びに調湿を実現することができる。また、前述の様に箱本体１２ａおよび蓋体１２ｂは、これらの間に収納される袋詰め多孔質物質体１４の厚みに応じて厚みが調節できるため、建具材ブロックＢを収納する枠体１１とハニカムコア１５からなる下地材の厚みに合わせ易く、従って、従来におけるような高価な集成材の使用による建具材パネルＡのコストアップを回避することができる。
【産業上の利用可能性】
【００４３】
本発明は、所定強度のフラットで軽量の建具材パネルを容易かつ安価に形成できるとともに、顆粒状や粉末状の多孔性物質体が箱本体や蓋体の外部に漏れ出るのを回避しながら所期の断熱性能、脱臭性能および吸放湿性能を得るという効果を有し、建物の屋内に使用する押入れやタンスの扉、壁材、床材、天井材または室内ドアなどの建具材パネル等に有用である。
【符号の説明】
【００４４】
１１  枠体
１２  箱体
１２ａ  蓋体
１２ｂ  箱本体
１３  不織布（通気性シート材）
１４  袋詰め多孔性物質体
１５  ハニカムコア（隙間調整部材）
１６  固定手段（ホチキス止め）
１７  表面板
１８  裏面板
１９  化粧フィルム
２０  通気用下部開口
２０ａ  通気孔
２１  通気用上部開口
２１ａ  通気孔
２２  通気孔
２３  通気孔
２４  小口テープ
Ａ  建具材パネル
Ｂ  建具材ブロック
Ｍ  折り曲げ部
Ｐ、Ｑ  側板
Ｒ  側板
Ｐａ  湾曲部
【図１】
2016138411.tif 000003
【図２】
2016138411.tif 000004
【図３】
2016138411.tif 000005
【図４】
2016138411.tif 000006
【図５】
2016138411.tif 000007
【図６】
2016138411.tif 000008